(57)【要約】【課題】  種々の媒体に対して記録ヘッド直下の部分での浮き上がりを完全に防止することができる記録装置と液体噴射装置を提供すること。【解決手段】  記録時に媒体を支持する第1の支持部材２１４に対し搬送下流側に配設される前記媒体を支持する第２の支持部材１３１は、当該第２の支持部材の面が前記第1の支持部材の面に対して変位可能に構成されており、前記媒体の種類に応じて変位させる。これにより、媒体の種類が異なる毎に第２の支持部材の面と第1の支持部材の面の変位量を調整し、第２の支持部材の面と第1の支持部材の面の境界における媒体の折れ曲り量をその媒体に適したものとすることができるので、全ての媒体の浮き上がりを防止することができる。【選択図】      図３
2006095979.tif 000002
【特許請求の範囲】
【請求項１】
媒体を搬送しつつ記録する記録装置であって、
記録時に前記媒体を支持する第1の支持部材に対し搬送下流側に配設される前記媒体を支持する第２の支持部材は、当該第２の支持部材の面が前記第1の支持部材の面に対して変位可能に構成されており、前記媒体の種類に応じて変位させることを特徴とする記録装置。
【請求項２】
前記第２の支持部材は、搬送上流側を軸に搬送下流側が揺動することにより変位することを特徴とする請求項１に記載の記録装置。
【請求項３】
前記第２の支持部材は、当該第２の支持部材の面が前記第1の支持部材の面に対し、平坦な状態から下方に傾斜した状態に揺動することにより変位することを特徴とする請求項２に記載の記録装置。
【請求項４】
前記第２の支持部材は、当該第２の支持部材の面が前記第1の支持部材の面と略平行な状態で移動することにより変位することを特徴とする請求項１に記載の記録装置。
【請求項５】
前記第２の支持部材は、当該第２の支持部材の面が前記第1の支持部材の面に対し、平坦な状態から降下した状態に移動することにより変位することを特徴とする請求項４に記載の記録装置。
【請求項６】
前記第２の支持部材は、前記媒体を吸引する媒体吸引部を有することを特徴とする請求項１〜５の何れか一項に記載の記録装置。
【請求項７】
被噴射媒体に液体を噴射する液体噴射装置であって、
請求項１〜６の何れか一項に記載の要素を備えたことを特徴とする液体噴射装置。
【発明の詳細な説明】
【技術分野】
【０００１】
本発明は、媒体を搬送しつつ記録する記録装置に関する。
【背景技術】
【０００２】
記録装置の１つであるインクジェット式プリンタには、媒体の１つであるロール紙に対して記録することができるものがある。このようなインクジェット式プリンタは、ロール紙のカール癖により記録ヘッド直下の部分が浮き上がることがあり、ロール紙が記録ヘッドに接触して汚染されてしまうという不具合が生じる場合がある。そこで、上記不具合を解消するロール紙収容器具を備えたインクジェット式プリンタが提案されている。
【０００３】
このロール紙収容器具は、ロール紙の収容形態に応じて所定の３つのモードに変位可能に構成されている。これらのモードのうち１つのモードは、ロール紙が排紙口から離れた位置で折れ曲って垂れ下がるようになっている。このため、ロール紙のカール癖により垂れ下がり始める前の部分が浮き上がっても、記録ヘッド直下の部分までは浮き上がらない。したがって、ロール紙が記録ヘッドに接触して汚染されてしまうことを防止することができる（特許文献１参照）。
【０００４】
【特許文献１】特開２００１−１９９６１４号公報
【発明の開示】
【発明が解決しようとする課題】
【０００５】
上述したインクジェット式プリンタのロール紙収容器具は、ロール紙を略９０度の角度で折り曲げている。しかし、ロール紙は多種類あってそれぞれに特性が異なるため、一律に略９０度の角度で折り曲げても、記録ヘッド直下の部分での浮き上がりを完全に防止することは困難である。
【０００６】
本発明は、上記のような種々の課題に鑑みなされたものであり、その目的は、種々の媒体に対して記録ヘッド直下の部分での浮き上がりを完全に防止することができる記録装置と液体噴射装置を提供することにある。
【課題を解決するための手段】
【０００７】
上記目的達成のため、本発明の記録装置では、媒体を搬送しつつ記録する記録装置であって、記録時に前記媒体を支持する第1の支持部材に対し搬送下流側に配設される前記媒体を支持する第２の支持部材は、当該第２の支持部材の面が前記第1の支持部材の面に対して変位可能に構成されており、前記媒体の種類に応じて変位させることを特徴としている。これにより、媒体の種類が異なる毎に第２の支持部材の面と第1の支持部材の面の変位量を調整し、第２の支持部材の面と第1の支持部材の面の境界における媒体の折れ曲り量をその媒体に適したものとすることができるので、全ての媒体の浮き上がりを防止することができる。
【０００８】
また、前記第２の支持部材は、搬送上流側を軸に搬送下流側が揺動することにより変位することを特徴としている。特に、前記第２の支持部材は、当該第２の支持部材の面が前記第1の支持部材の面に対し、平坦な状態から下方に傾斜した状態に揺動することにより変位することを特徴としている。また、前記第２の支持部材は、当該第２の支持部材の面が前記第1の支持部材の面と略平行な状態で移動することを特徴としている。特に、前記第２の支持部材は、当該第２の支持部材の面が前記第1の支持部材の面に対し、平坦な状態から降下した状態に移動することにより変位することを特徴としている。これにより、変位機構を簡易な構成とすることができる。また、前記第２の支持部材は、前記媒体を吸引する媒体吸引部を有することを特徴としている。これにより、媒体の浮き上がりを完全に防止することができる。上記目的達成のため、本発明の液体噴射装置では、被噴射媒体に液体を噴射する液体噴射装置であって、上記各要素を備えたことを特徴としている。これにより、上記各作用を奏する液体噴射装置を提供することができる。
【発明を実施するための最良の形態】
【０００９】
図１は、本発明の実施の形態に係る記録装置の１つであるインクジェット式プリンタの構成例を示す斜視図であり、図２は、そのインクジェット式プリンタの主要部の内部構成例を示す斜視図である。図１及び図２に示すインクジェット式プリンタ１００は、例えばＪＩＳ規格のＡ１判やＪＩＳ規格のＢ１判といった比較的大型のサイズの記録用紙にまで記録できる大型のプリンタであり、給紙部１１０、記録部１２０、本発明の特徴的な部分を含む排紙部１３０、脚部１４０がこの順で上部から配設された構成となっている。記録部１２０と排紙部１３０は本体として一体化されており、給紙部１１０及び脚部１４０とそれぞれ分離可能に構成されている。
【００１０】
給紙部１１０は、図１に示すように、本体１２０、１３０の上部後方に突き出るように設けられている。そして、給紙部１１０の内部には、図２に示すように、１本のロール紙がセット可能なロール紙ホルダ１１１が設けられ、給紙部１１０の前面には、図１及び図２に示すように、跳ね上げ式の開閉可能なロール紙カバー１１２がロール紙ホルダ１１１を覆うように取り付けられている。
【００１１】
ロール紙ホルダ１１１は、図２に示すように、ロール紙を保持するスピンドル１１３及び一対のフランジ状のロール紙押さえ１１４と、給紙部１１０の両側壁内面に取り付けられて、スピンドル１１３の着脱及び懸架が可能な一対のスピンドル受け１１５を備えている。そして、スピンドル１１３は、中央にロール紙が填め込まれてロール紙押さえ１１４で挟持された状態で、両端がスピンドル受け１１５に載置され、回転可能に軸支持されるようになっている。ロール紙カバー１１２は、図１及び図２に示すように、全体が回動可能に支持されており、ユーザが下部を持って持ち上げ、あるいは押し下げることにより開閉するようになっている。
【００１２】
記録部１２０は、図２に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４、ロール紙を副走査方向に搬送する図示しない紙送りローラ、ロール紙の浮き上がりを防止する図示しない紙吸引手段等を備えている。そして、記録部１２０の上面及び前面には、図１及び図２に示すように、上蓋１２５及び前蓋１２６が記録ヘッド１２１やキャリッジ１２２等を覆うように取り付けられている。
【００１３】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１４】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１５】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。そして、インクチューブ１２４は、インク加圧供給手段によって加圧された各色のインクをインクカートリッジ１０から記録ヘッド１２１に送るようになっている。
【００１６】
前蓋１２６は、図１及び図２に示すように、下部が回動可能に支持されており、ユーザが上部を持って押し下げ、あるいは押し上げることにより開閉するようになっている。ユーザは、前蓋１２６を開けることにより記録部１２０を大きく開放することができるので、記録ヘッド１２１やキャリッジ１２２等のメンテナンス作業を容易に行うことができる。
【００１７】
排紙部１３０は、図１及び図２に示すように、ロール紙を副走査方向に搬送する経路の一部を成す本発明の特徴的な部分である排紙ガイド１３１と、ロール紙を副走査方向に搬送する図示しない排紙ローラを備えている。排紙ガイド１３１は、前面側に突き出た平坦な傾斜面として形成されており、上方から搬送されてくるロール紙を下方へスムーズに導くことができるようになっている。なお、この排紙ガイド１３１の詳細については後述する。
【００１８】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。支持柱１４２に移動用のコロ１４１が配設されていることにより、重量のある給紙部１１０及び本体１２０、１３０を所望の位置へスムーズに移動させて設置することができるようになっている。なお、この脚部１４０の支持柱１４２の間には、排紙部１３０から排出されるロール紙を受ける排紙受け装置を設置することができるようになっている。
【００１９】
さらに、本体１２０、１３０の前面側から見て左側には、図１及び図２に示すように、各色のインクカートリッジ１０を収納保持するホルダ本体１５１とその前面を覆うカバー１５２を有するインクカートリッジホルダ１５０が配設されている。このインクカートリッジホルダ１５０は、ホルダ本体１５１に対しカバー１５２の下部が回動可能に支持されており、ユーザが上部を持って押し下げ、あるいは押し上げることにより開閉するようになっている。ホルダ本体１５１内に設けられている収納部は、図示左側から順にブラック、ライトイエロー、イエロー、ライトシアン、シアン、ライトマゼンタ、マゼンタの計７色のインクカートリッジ１０が個々に引き出し、押し入れ可能なように仕切られている。また、本体１２０、１３０の前面側から見て右側上部には、図１及び図２に示すように、ユーザが記録制御等を操作するための操作パネル１６０が配設されている。この操作パネル１６０は、液晶画面と各種ボタンが配設されており、ユーザが液晶画面を見て確認しながらボタン操作できるようになっている。
【００２０】
図３は、インクジェット式プリンタ１００の本体の概略断面側面図である。給紙部１１０から記録部１２０を経て排紙部１３０へ向かう用紙搬送経路は、インクジェット式プリンタ１００の上部後面側から下部前面側にかけて傾斜して設けられている。この用紙搬送経路は、給紙部１１０から記録部１２０にかけて配設された平坦な給紙ガイド２１１、対向配置された接触・離間可能な紙送りローラ２１２及び従動ローラ２１３、キャリッジ１２２に搭載された記録ヘッド１２１と対向配置された平坦なプラテン（第１の支持部材）２１４、排紙部１３０に配設された平坦な本発明の特徴的な部分である排紙ガイド（第２の支持部材）１３１により構成されている。
【００２１】
紙送りローラ２１２は、１本の長尺のローラとして形成されており、記録可能な最大用紙幅より若干大きい周面部分にはセラミック粉等がコーティングされている。これにより、紙送りの際の滑りを防止することができるので、用紙を高精度に送り出すことができる。この紙送りローラ２１２は、図示していないが、両端がサイドフレームに軸受を介して軸支持されており、紙送りモータからプーリ及びベルトを介して伝達される駆動力により正逆回転駆動するようになっている。
【００２２】
従動ローラ２１３は、複数個の短尺のローラとして形成されており、紙送りローラ２１２の上方で軸方向に複数並設された図示しない従動ローラ支持部材に回動自在に軸支持されている。この従動ローラ２１３は、従動ローラ支持部材に取り付けられている図示しないバネ等の付勢部材により紙送りローラ２１２に押圧されており、紙送りローラ２１２の正逆回転駆動に追従して正逆回転するようになっている。これにより、ロール紙を両面からしっかりと押さえ込んで送り出すことができるので、高精度な記録を行うことができる。
【００２３】
給紙ガイド２１１、プラテン２１４、排紙ガイド１３１の各表面は、用紙搬送面及び用紙吸引面として作用する。すなわち、給紙ガイド２１１、プラテン２１４、排紙ガイド１３１の各表面には、主走査方向及び副走査方向に複数の図示しない吸引口が配設されており、本体内部に配設された図示しないファンにより外気が各吸引口から吸引されることにより、給紙ガイド２１１、プラテン２１４、排紙ガイド１３１の各表面を搬送されるロール紙を吸着するようになっている。したがって、記録時において特にロール紙の幅が広くてもロール紙はプラテン２１４上で全幅にわたって確実に吸引されて平坦になるので、記録精度を高精度に維持することができる。
【００２４】
ここで、従来技術でも述べたように、ロール紙のカール癖により記録ヘッド１２１直下の部分が浮き上がることがあり、ロール紙が記録ヘッド１２１に接触して汚染されてしまうという不具合が生じる場合がある。さらに、ロール紙は多種類あってそれぞれに特性が異なるため、一律に略９０度の角度で折り曲げても、記録ヘッド１２１直下の部分での浮き上がりを完全に防止することは困難である。そこで、本実施形態のインクジェット式プリンタ１００の排紙ガイド１３１は、上記問題を解消するために以下のような構成となっており、図を参照して説明する。
【００２５】
図４は、上記排紙ガイド１３１の第１の例を示す断面側面図である。この排紙ガイド１３１は、搬送上流側の軸１３１ａを中心に搬送下流側がガイド溝１３１ｂに沿って揺動自在となっている。すなわち、排紙ガイド１３１の表面がプラテン２１４の表面に対し、平坦な状態から下方に傾斜した状態に変位するようになっている。これにより、ロール紙をプラテン２１４と排紙ガイド１３１の境界で折り曲げることができる。そして、排紙ガイド１３１は、任意の位置にて図示しないストッパにより固定可能となっている。これにより、ロール紙の種類毎にそれぞれの特性に合わせた折り曲げ角度を設定して、記録ヘッド１２１直下の部分での浮き上がりを完全に防止して紙姿勢を安定化することができるので、記録精度を高精度に維持することができる。
【００２６】
図５は、上記排紙ガイド１３１の第２の例を示す断面側面図である。この排紙ガイド１３１は、表面がプラテン２１４の表面と略平行な状態でガイド溝１３１ｃに沿って移動自在となっている。すなわち、排紙ガイド１３１の表面がプラテン２１４の表面に対し、平坦な状態から降下した状態に変位するようになっている。これによっても、ロール紙をプラテン２１４と排紙ガイド１３１の境界で折り曲げることができる。そして、排紙ガイド１３１は、任意の位置にて図示しないストッパにより固定可能となっている。これによっても、ロール紙の種類毎にそれぞれの特性に合わせた折り曲げ角度を設定して、記録ヘッド１２１直下の部分での浮き上がりを完全に防止して紙姿勢を安定化することができるので、記録精度を高精度に維持することができる。
【００２７】
さらに、上述したように、給紙ガイド２１１、プラテン２１４、排紙ガイド１３１の各表面には、主走査方向及び副走査方向に複数の吸引口が配設されており、本体内部に配設されたファンにより外気が各吸引口から吸引されることにより、給紙ガイド２１１、プラテン２１４、排紙ガイド１３１の各表面を搬送されるロール紙を吸着するようになっている。したがって、記録ヘッド１２１直下の部分での浮き上がりをより完全に防止して紙姿勢を安定化することができるので、記録精度を高精度に維持することがさらに容易となる。また、排紙ガイド１３１を変位させることにより、ロール紙のカールによる反力を低減することができるので、大きな吸引力は不要となり、低価格なファンを使用することができる。したがって、ファンのコストを削減することができるとともに、騒音を低減させることができる。
【００２８】
ここで、使用する用紙がカット紙、特に薄手の紙でコックリングが大きい紙やボード紙等のときは、排紙ガイド１３１を変位させずに各用紙を下方から支えるようにする。一方、使用する用紙がロール紙、特にカール癖が強い写真用紙や厚手のマット紙等のときは、各用紙の種類に応じて排紙ガイド１３１を変位させる。この変位は、自動制御もしくは手動制御で行う。特に、自動制御の場合は、プリンタドライバや操作パネル１６０により用紙種類を選択し、もしくはセンサにより用紙種類を自動判別し、アクチュエータ、モータまたはシリンダ等により排紙ガイド１３１を変位させる。
【００２９】
このような構成において、インクジェット式プリンタ１００を使用する場合は、先ず、給紙部１１０からロール紙ホルダ１１１を構成するスピンドル１１３を取り出し、図６に示すように、スピンドル１１３に挿入されている一方のロール紙押さえ１１４をスピンドル１１３の一端から引き抜く。そして、図７に示すように、スピンドル１１３の一端をロール紙Ｒの軸穴Ｃの一端から挿入して貫通させ、図８に示すように、ロール紙Ｒの軸穴Ｃの一端をスピンドル１１３の他端側に挿入固定されている他方のロール紙押さえ１１４にはめ込んで当接させる。続いて、一方のロール紙押さえ１１４をスピンドル１１３の一端から挿入して、ロール紙Ｒの軸穴Ｃの他端に填め込む。これにより、ロール紙Ｒはスピンドル１１３と共に回転可能となる。
【００３０】
次に、図９に示すように、ロール紙Ｒが挿入されたスピンドル１１３の両端を持って給紙部１１０まで持ち上げる。ここで、図１０に示すように、スピンドル受け１１５には、スピンドル１１３の端部を一時的に載置するための比較的浅い窪み１１５ａと、スピンドル１１３の端部を回転可能に軸支するための比較的深い窪み１１５ｂが前後に並設されている。手前の窪み１１５ａは、重量のあるロール紙Ｒが挿入されたスピンドル１１３を正規の窪み１１５ｂに一時に填め込む作業は困難性が伴うために、仮置きをするために設けられている。
【００３１】
そこで、図１０に示すように、ロール紙Ｒが挿入されたスピンドル１１３の両端部をスピンドル受け１１５の仮置きの窪み１１５ａに一旦載置し、その後、図１１に示すように、先ず、ロール紙Ｒが挿入されたスピンドル１１３の一端部を対応するスピンドル受け１１４の正規の窪み１１５ｂに掛け、次に、ロール紙Ｒが挿入されたスピンドル１１３の他端部を対応するスピンドル受け１１５の正規の窪み１１５ｂに掛ける。これにより、ロール紙Ｒが挿入されたスピンドル１１３を給紙部１１０に安全かつ容易にセットすることができる。
【００３２】
次に、図１２に示すように、ロール紙Ｒの先端を下方に引き出して記録部１２０の搬送経路を通し、さらに図１３に示すように、排紙部１３０の搬送経路まで通す。そして、図１４に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、操作パネル１６０によりロール紙Ｒの種類を選択する。
【００３３】
これにより、排紙ガイド１３１は、選択したロール紙Ｒの種類に対応した位置まで変位して固定される。そして、ロール紙Ｒを副走査方向に給紙しつつ記録ヘッド１２１を主走査方向に移動させながらインク滴を吐出させ、ロール紙Ｒに所定の情報を記録する。このとき、ロール紙Ｒは、その特性に合わせて折り曲げられるので、記録ヘッド１２１直下の部分での浮き上がりを完全に防止して紙姿勢を安定化することができ、記録精度を高精度に維持することができる。
【産業上の利用可能性】
【００３４】
記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００３５】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの本体の概略断面側面図である。
【図４】図１のプリンタの排紙ガイドの第１の例を示す断面側面図である。
【図５】図１のプリンタの排紙ガイドの第２の例を示す断面側面図である。
【図６】図１のプリンタの使用手順を示す第１の図である。
【図７】図１のプリンタの使用手順を示す第２の図である。
【図８】図１のプリンタの使用手順を示す第３の図である。
【図９】図１のプリンタの使用手順を示す第４の図である。
【図１０】図１のプリンタの使用手順を示す第５の図である。
【図１１】図１のプリンタの使用手順を示す第６の図である。
【図１２】図１のプリンタの使用手順を示す第７の図である。
【図１３】図１のプリンタの使用手順を示す第８の図である。
【図１４】図１のプリンタの使用手順を示す第９の図である。
【符号の説明】
【００３６】
１０  インクカートリッジ、１００  インクジェット式プリンタ、１１０  給紙部、１１１  ロール紙ホルダ、１１２  ロール紙カバー、１１３  スピンドル、１１４  ロール紙押さえ、１１５  スピンドル受け、１２０  記録部、１２１  記録ヘッド、１２２  キャリッジ、１２３  ＦＦＣ、１２４  インクチューブ、１２５  上蓋、１２６  前蓋、１２７  レール、１２８  キャリッジベルト、１３０  排紙部、１３１  排紙ガイド、１４０  脚部、１４１  コロ、１４２  支持柱、１４３  補強棒、１５０  インクカートリッジホルダ、１５１  ホルダ本体、１５２  カバー、２１１  給紙ガイド、２１２  紙送りローラ、２１３  従動ローラ、２１４  プラテン
【図１】
2006095979.tif 000003
【図２】
2006095979.tif 000004
【図３】
2006095979.tif 000005
【図４】
2006095979.tif 000006
【図５】
2006095979.tif 000007
【図６】
2006095979.tif 000008
【図７】
2006095979.tif 000009
【図８】
2006095979.tif 000010
【図９】
2006095979.tif 000011
【図１０】
2006095979.tif 000012
【図１１】
2006095979.tif 000013
【図１２】
2006095979.tif 000014
【図１３】
2006095979.tif 000015
【図１４】
2006095979.tif 000016